(57)【要約】【課題】輸送中において、下部ミラー支持具や、それにより支持したミラーが脱落するのを防止するとともに、下部ミラー支持具の着脱を容易に行うことができるようにしたオープンショーケースを提供する。【解決手段】下部ミラー支持具１１を、支柱３の係合孔４に着脱可能に係合可能な係合部１３と、該係合部１３下方においてミラー７の下端部を支持する上向き略コ字状のミラー受け部１４とを有するものとし、かつミラー受け部１４の後面に、ミラー７の自重により、支柱３における係合部１３が係合される係合孔４よりも下方の係合孔４の上端に係合可能な係合突部１５を、後向きに突設する。【選択図】図３
2008264236.tif 000002
【特許請求の範囲】
【請求項１】
ショーケース本体における前面が解放する内箱の背面板に、上下複数の係合孔を有する支柱を、左右に離間させて設け、左右の支柱の係合孔に係合した上下複数のブラケットにより、複数段の棚板を支持するとともに、最上段の棚板の陳列商品を前方に映し出すミラーの上下の端部を、前記内箱上部のコーナー部における上面と背面にそれぞれ設けた上部ミラー支持具と下部ミラー支持具により、前傾状に支持してなるオープンショーケースにおいて、
前記下部ミラー支持具を、前記支柱の係合孔に着脱可能に係合可能な係合部と、該係合部の下方において前記ミラーの下端部を支持する上向き略コ字状のミラー受け部とを有するものとし、かつミラー受け部の後面に、ミラーの自重により、前記支柱における前記係合部が係合される係合孔よりも下方の係合孔の少なくとも上端に係合可能な係合突部を、後向きに突設したことを特徴とするオープンショーケース。
【請求項２】
ミラー受け部の下端に、左右方向を向くとともに、後端が支柱の前面に当接する後向片を連設し、この後向片の後端の中央部に係合突部を設けたことを特徴とする請求項１に記載のオープンショーケース。
【請求項３】
係合突部の後端部を先細り状としたことを特徴とする請求項１または２に記載のオープンショーケース。
【請求項４】
ミラーの側端部と下端部のそれぞれに間隙をもって保護枠を取着し、ミラー受け部の前端に形成された上向片に、ミラーの前面側の前記隙間に前方より嵌合する嵌合突部を、後向きに突設したことを特徴とする請求項１ないし３のいずれかに記載のオープンショーケース。
【請求項５】
ミラー受け部の下部外周面に、係合突部に連続するリブを形成したことを特徴とする請求項１ないし４のいずれかに記載のオープンショーケース。
【発明の詳細な説明】
【技術分野】
【０００１】
本発明は、スーパーマーケット、デパート、コンビニエンスストア等の食品売り場において、冷凍、冷蔵食品や生鮮食料品等を陳列する際に用いられるオープンショーケースに係わり、特に、最上段の棚板の陳列商品を前方に映し出すミラーを備えるオープンショーケースに関する。
【背景技術】
【０００２】
この種のミラーを備えるオープンショーケースとしては、例えば特許文献１及び２に記載されているものがある。
【０００３】
【特許文献１】特開平９−４７３４０号公報（図１）
【特許文献２】実用新案登録第２５６７３８９号公報（図２、図７）
【発明の開示】
【発明が解決しようとする課題】
【０００４】
前記特許文献１に記載されているオープンショーケースにおいては、下部ミラー支持具は、単に下向き鉤状の係合爪を、支柱の係合孔に係止させて取付けているため、オープンショーケースを工場等から店舗に輸送する際の上下振動や衝撃が、下部ミラー支持具に加わると、これが支柱より脱落し、ミラーが落下して破損させる恐れがある。また、下部ミラー支持具の上向きコ字状の受け溝により、ミラーの下端部を支持するとともに、ミラーの上端部を、上部ミラー支持具における下向きコ字状の保持溝により保持し、かつミラーをショーケースの前方から下部の受け溝に落とし込んで容易に取付けられるように、上部ミラー支持具の保持溝の上下寸法を大としているので、ミラー自身が下部ミラー支持具の受け溝より跳ね上がり、脱落して破損する恐れもある。これを防止するためには、出荷する際に、下部ミラー支持具やミラーを粘着テープで固定したり、受け溝の隙間にクッション材を挟み込むなどする必要があり、それらの作業が煩雑となる。
【０００５】
特許文献２に記載のオープンショーケースにおいては、下部ミラー支持具は、ねじにより固定されており、しかも、下部ミラー支持具と上部ミラー支持具は、それらの受け溝と保持溝との間隔が、ミラーの上下寸法より若干大となる程度に取付けられているので、輸送中の振動により、下部ミラー支持具が脱落したり、ミラー自身が跳ね上がって受け溝より脱落したりする恐れはない。しかしながら、下部ミラー支持具を、ミラーが脱落しない位置に位置決めして、ねじにより固定する必要があるため、下部ミラー支持具の取付けや位置変更に手間がかかるという問題がある。
【０００６】
本発明は、前記問題点を解決するためになされたもので、輸送中において、下部ミラー支持具や、それにより支持したミラーが脱落するのを防止するとともに、下部ミラー支持具の着脱を容易に行うことができるようにしたオープンショーケースを提供することを目的としている。
【課題を解決するための手段】
【０００７】
前記課題を解決するために、本発明の請求項１に記載のオープンショーケースは、
ショーケース本体における前面が解放する内箱の背面板に、上下複数の係合孔を有する支柱を、左右に離間させて設け、左右の支柱の係合孔に係合した上下複数のブラケットにより、複数段の棚板を支持するとともに、最上段の棚板の陳列商品を前方に映し出すミラーの上下の端部を、前記内箱上部のコーナー部における上面と背面にそれぞれ設けた上部ミラー支持具と下部ミラー支持具により、前傾状に支持してなるオープンショーケースにおいて、
前記下部ミラー支持具を、前記支柱の係合孔に着脱可能に係合可能な係合部と、該係合部の下方において前記ミラーの下端部を支持する上向き略コ字状のミラー受け部とを有するものとし、かつミラー受け部の後面に、ミラーの自重により、前記支柱における前記係合部が係合される係合孔よりも下方の係合孔の少なくとも上端に係合可能な係合突部を、後向きに突設したことを特徴としている。
この特徴によれば、下部ミラー支持具におけるミラー受け部の後面に設けた係合突部が、ミラーの自重により、支柱の係合孔の上端に強く係合するので、輸送中の上下振動が下部ミラー支持具に加わっても、その係合部が支柱の係合孔より離脱する恐れはなく、従って、下部ミラー支持具が支柱より脱落したり、ミラーが下部ミラー支持具と共に落下して破損したりするのを防止することができる。そのため、オープンショーケースの出荷時において、下部ミラー支持具やミラーを粘着テープ等で固定する必要がなく、作業能率が向上する。
また、下部ミラー支持具は、支柱の係合孔を利用して取付けているので、その取付けや取外しが極めて容易である。
【０００８】
本発明の請求項２に記載のオープンショーケースは、請求項１に記載のオープンショーケースであって、
ミラー受け部の下端に、左右方向を向くとともに、後端が支柱の前面に当接する後向片を連設し、この後向片の後端の中央部に係合突部を設けたことを特徴としている。
この特徴によれば、後向片の後端が支柱の前面に当接しているので、ミラー受け部によるミラーの支持強度が大となる。
また、後向片の後端が、ミラーの荷重により支柱の前面に強く当接しているので、後向片の中央部に設けた係合突部が係合孔より簡単に離脱する恐れがない。
【０００９】
本発明の請求項３に記載のオープンショーケースは、請求項１または２に記載のオープンショーケースであって、
係合突部の後端部を先細り状としたことを特徴としている。
この特徴によれば、係合突部が係合孔に前方より係合し易くなる。
【００１０】
本発明の請求項４に記載のオープンショーケースは、請求項１ないし３のいずれかに記載のオープンショーケースであって、
ミラーの側端部と下端部のそれぞれに間隙をもって保護枠を取着し、ミラー受け部の前端に形成された上向片に、ミラーの前面側の前記隙間に前方より嵌合する嵌合突部を、後向きに突設したことを特徴としている。
この特徴によれば、側端部と下端部の保護枠との間に形成された隙間に、ミラー受け部前端の上向片に設けた嵌合突部が前方より嵌合するので、ミラー自身がミラー受け部より跳ね上がって落下するのが防止される。
【００１１】
本発明の請求項５に記載のオープンショーケースは、請求項１ないし４のいずれかに記載のオープンショーケースであって、
ミラー受け部の下部外周面に、係合突部に連続するリブを形成したことを特徴としている。
この特徴によれば、ミラー受け部の曲げ剛性が大となるので、ミラーの支持強度が大きくなる。
【発明を実施するための最良の形態】
【００１２】
以下、本発明の一実施形態を、図面に基づいて説明する。
図１は、本発明のオープンショーケースの縦断側面図を示すもので、ショーケース本体１における前面（左方が前）が解放された側面視コ字状断面をなす内箱２における背面板２ａには、左右複数の支柱３が、その前面と背面板２ａの前面とが同一面をなすようにして、左右方向に所定間隔おきに立設されている。図２は、支柱３へのミラー取付部の拡大斜視図であり、図３は、同じくミラー取付部の拡大縦断側面図であり、図４は、下部ミラー支持具１１の拡大斜視図である。
【００１３】
図２及び図３に示すように、各支柱３の前面には、上下方向に長いスリット状の係合孔４が一定間隔おきに多数穿設され、左右の支柱３における上下の係合孔４には、前方を向く左右複数のブラケット５の後端の係合爪（図示略）が係合され、この左右方向に並ぶ複数のブラケット５により、左右方向に長い上下複数段の棚板６が支持されている。
【００１４】
内箱２の上部のコーナー部には、最上段の棚板６の陳列商品を前方に映し出すミラー７が、以下に詳述するようにして、前傾状に取り付けられている。内箱２の上面板２ｂの後端部下面には、図３にも示すように、側面視下向きコ字状をなす左右複数の上部ミラー支持具８が、ねじ９により固定され、各上部ミラー支持具８には、ミラー７の上端部が余裕をもって下方より嵌合可能な、ミラー７の板厚より前後幅の大きな保持溝１０が形成されている。なお、図１に示すように、上部ミラー支持具８は、ミラー７の取付角度を変更しうるように、前後２個取り付けてある。
【００１５】
左右の支柱３における上端部の係合孔４には、下部ミラー支持具１１が取り付けられている。下部ミラー支持具１１は、図２ないし図４に示すように、左右寸法が支柱３の左右幅とほぼ等しく、上下寸法が上下に隣接する２個の係合孔４の上下両端間の離間寸法より小とされた上下方向を向く基片１２と、この基片１２の後面における左右方向の中央部に後向きに突設された、係合部としての上下２個の係合爪１３、１３と、基片１２の下端に前向きに連設された上向き略コ字状のミラー受け部１４とを有している。
【００１６】
係合爪１３は、支柱３の上下に隣接する２個の係合孔４に、前方より着脱可能に係合される下向き鉤状をなしている。ミラー受け部１４は、ミラー７の下端を支持可能な斜め前下方を向く支持片１４ａと、この支持片１４ａの前端より斜め前上方に起立する上向片１４ｂと、この上向片１４ｂの後端に連設され、後端が支柱３の前面に当接可能な左右方向を向く後向片１４ｃとからなり、この後向片１４ｃの後端における左右方向の中央部には、短寸の係合突部１５が後向きに突設されている。
【００１７】
前記係合突部１５は、上下の係合爪１３が互いに隣接する上下２個の係合孔４に係合されたとき、下部の係合爪１３が係合される係合孔４の直下の係合孔４の上端に係合可能な位置に設けられている。なお、係合突部１５の後端部は、係合孔４に前方より容易に係合されるように、先細り状に面取りされている。
【００１８】
上向片１４ｂの前面中央部と、後向片１４ｃの中央部下面の前端部には、円弧状のリブ１６が突設され、ミラー受け部１４の曲げ剛性が高められている。また、基片１２の下端と、支持片１４ａの後面と、後向片１４ｃの上面との間にも、ミラー受け部１４を補強する三角形状のリブ１７が、係合突部１５と連続するように形成されている。
【００１９】
ミラー７の側端部と下端部とには、それぞれ、コ字状断面をなす上下方向を向く保護枠１８と、左右方向を向く保護枠１９とが、それらの下端と側端部上面との間に隙間２０が形成されるようにして嵌着されている。ミラー７の前面側の隙間２０には、前記上向片１４ｂ上端に斜め後ろ上方を向くように突設された嵌合突部２１が、前方より嵌合されるようになっている。
【００２０】
ミラー７を内箱２上部のコーナー部に取付けるには、まず下部ミラー支持具１１を、左右の支柱３の上端部に、その上下２個の係合孔４に係合爪１３、１３を係合させて取付ける。次いで、予め取付けた上部ミラー支持具８の保持溝１０に、ミラー７の上端部を先に嵌合して持ち上げた後、ミラー７の下端部を、下部ミラー支持具１１のミラー受け部１４に上方より落とし込んで嵌合する。これにより、ミラー７は、上部ミラー支持具８と下部ミラー支持具１１とにより、内箱２上部のコーナー部に前傾状態で支持され、最上段の棚板６の陳列商品が前方に映し出される。
【００２１】
また、下部ミラー支持具１１には、ミラー７の自重が加わり、後方に強く押圧されるため、後向片１４ｃの後端に突設した係合突部１５が、下部の係合爪１３の直下の係合孔４の上端に突入して係合するようになる。これにより、下部ミラー支持具１１が上方に移動するのが防止され、オープンショーケースの輸送中に振動が加わっても、係合孔４から下部ミラー支持具１１の係合爪１３が抜け外れる恐れがなくなり、下部ミラー支持具１１が支柱３より脱落するのが防止されることから、それに支持されたミラー７が落下して破損するのも防止される。
【００２２】
しかも、ミラー７の下端部をミラー受け部１４により支持すると、ミラー７は前傾しているため、上向片１４ｂの嵌合突部２１に、側端部の保護枠１８と下端部の保護枠１９との間に形成された前面側の隙間２０が嵌合するので、ミラー７自身の跳上がりも防止され、より落下しにくくなる。
【００２３】
以上説明したように、前記実施形態においては、下部ミラー支持具１１に、ミラー７の自重により支柱３の係合孔４の上端に係合する係合突部１５を設け、これを支柱３に形成された、棚板取付用の係合孔４に係合させるだけの簡単な構成で、下部ミラー支持具１１の支柱３よりの脱落及びミラー７の落下を防止することができる。また、下部ミラー支持具１１は、その係合爪１３を支柱３の係合孔４に係合させるだけで、支柱３に着脱自在に容易に取り付けることができる。
【００２４】
本発明は、前記実施形態に限定されるものではない。前記実施形態では、係合突部１５を、係合孔４の上端に係合しうるように、上下寸法を小さくしているが、係合孔４全体に係合するように、上下寸法を大としてもよい。
【００２５】
また、係合突部１５を、ミラー受け部１４に連設された後向片１４ｃの後端に設けているが、基片１２の上下寸法を大とし、その後面に突設してもよい。
【図面の簡単な説明】
【００２６】
【図１】本発明のオープンショーケースの一実施形態を示す縦断側面図である。
【図２】支柱へのミラー取付部の拡大斜視図である。
【図３】同じくミラー取付部の拡大縦断側面図である。
【図４】下部ミラー支持具の拡大斜視図である。
【符号の説明】
【００２７】
１                ショーケース本体
２                内箱
２ａ              背面板
２ｂ              上面板
３                支柱
４                係合孔
５                ブラケット
６                棚板
５                ブラケット
７                ミラー
８                上部ミラー支持具
９                ねじ
１０              保持溝
１１              下部ミラー支持具
１２              基片
１３              係合爪（係合部）
１４              ミラー受け部
１４ａ            支持片
１４ｂ            上向片
１４ｃ            後向片
１５              係合突部
１６，１７        リブ
１８，１９        保護枠
２０              隙間
２１              嵌合突部
【図１】
2008264236.tif 000003
【図２】
2008264236.tif 000004
【図３】
2008264236.tif 000005
【図４】
2008264236.tif 000006